(57)【要約】【課題】当日のコンディションに応じてプレーヤー自らが左右方向におけるフェイス面の角度を容易に微調整することができるゴルフパターヘッドおよびそれを備えたゴルフパターを提供する。【解決手段】本発明のゴルフパターヘッド１は、ゴルフパターヘッド本体２と、ゴルフパターヘッド本体２に対して相対的に回動可能に取り付けられフェイス面３を備えた回動体４とを有し、回動体４は回動させることにより、ホールカップに対するフェイス面３の左右方向の延在角度を変更可能に構成されている。【選択図】図１
2015024017.tif 000002
【特許請求の範囲】
【請求項１】
ゴルフパターヘッド本体と、該ゴルフパターヘッド本体に対して相対的に回動可能に取り付けられフェイス面を備えた回動体とを有し、該回動体を回動させることにより、ホールカップに対するフェイス面の左右方向の延在角度を変更可能に構成されていることを特徴とするゴルフパターヘッド。
【請求項２】
前記回動体は、ホールカップに対する前記フェイス面の左右方向の延在角度を所望角度に保持した状態で固定部材を介して前記ゴルフパターヘッド本体に固定可能に構成されている請求項１に記載のゴルフパターヘッド。
【請求項３】
前記回動体は、ホールカップに対する前記フェイス面の左右方向の延在角度を所望角度に変更するための回動用部材挿入部を有している請求項１または２に記載のゴルフパターヘッド。
【請求項４】
前記ゴルフパターヘッド本体は本体側固定部材係合部を有し、前記回動体は回動体側固定部材係合部を有し、前記ゴルフパターヘッドは、前記本体側固定部材係合部と該本体側固定部材係合部に対応する前記回動体側固定部材係合部に前記固定部材を挿入して前記ゴルフパターヘッド本体に前記回動体を固定するように構成されている請求項１ないし３のいずれかに記載のゴルフパターヘッド。
【請求項５】
前記ゴルフパターヘッド本体は、フェイス面を備えた回動体を内部に回動可能に保持すると共に上下から被包する被包体にて構成されている請求項１ないし４のいずれかに記載のゴルフパターヘッド。
【請求項６】
前記ゴルフパターヘッドは、平面視でホールカップの内径より若干小さい径の外周部を有すると共に、径の中心にシャフトが取り付けられるよう構成されている請求項１ないし５のいずれかに記載のゴルフパターヘッド。
【請求項７】
前記請求項１ないし６のいずれかに記載のゴルフパターヘッドを備えたことを特徴とするゴルフパター。
【発明の詳細な説明】
【技術分野】
【０００１】
本発明は、ゴルフパターヘッドおよびそれを備えたゴルフパターに関するものである。
【背景技術】
【０００２】
ゴルフは１ホールごとにパッティンググリーンがあり、直径１０．８センチメートルのホールカップにゴルフボールをカップインさせる必要がある。１メートル離れたホールカップにボールをカップインさせる場合、風や芝目、スライスやフックの傾斜等の影響は全くないものとして、ボールを打ち出すパターフェイス面の左右方向の角度のずれは３．０９１度以内であればカップインする計算となる。さらに距離が伸びて１５メートル離れたホールカップにボールをカップインさせるためには、ボールを打ち出すパターフェイス面の左右方向の角度のずれは０．２０６度以内であり、ホールカップまでの距離が長くなればなるほどパッティングに極めて高い精度が要求される。
【０００３】
上記のように、パッティングに際しては、左右方向における極めて微妙な打ち出し面のずれでカップインの是非が決まってしまうため、プレーヤーの当日のコンディションによっては、１日中、ホールカップの左側に外れ続けたり、あるいはホールカップの右側に外れ続けたりすることがあり、プレー中にプレーヤー自身でその日の癖を補正することは困難であった。
【０００４】
従来、ゴルフパターヘッドのフェイス角度を調整可能なものとして、例えば実用新案登録第３０７８４０１号公報の多角度フェイスゴルフパターなどが提案されているが、上下方向にフェイス面の角度を調整するものであり、左右方向にフェイス面の角度を調整可能なものが存在しなかった。
【先行技術文献】
【特許文献】
【０００５】
【特許文献１】実用新案登録第３０７８４０１号公報
【発明の概要】
【発明が解決しようとする課題】
【０００６】
そこで、本発明の課題は、当日のコンディションに応じてプレーヤー自らが左右方向におけるフェイス面の角度を容易に微調整することができるゴルフパターヘッドおよびそれを備えたゴルフパターを提供することにある。
【課題を解決するための手段】
【０００７】
上記課題を解決するものは、ゴルフパターヘッド本体と、該ゴルフパターヘッド本に対して相対的に回動可能に取り付けられフェイス面を備えた回動体とを有し、該回動体を回動させることにより、ホールカップに対するフェイス面の左右方向の延在角度を変更可能に構成されていることを特徴とするゴルフパターヘッドである。
【０００８】
前記回動体は、ホールカップに対する前記フェイス面の左右方向の延在角度を所望角度に保持した状態で固定部材を介して前記ゴルフパターヘッド本体に固定可能に構成されていることが好ましい。前記回動体は、ホールカップに対する前記フェイス面の左右方向の延在角度を所望角度に変更するための回動用部材挿入部を有していることが好ましい。前記ゴルフパターヘッド本体は本体側固定部材係合部を有し、前記回動体は複数の回動体側固定部材係合部を有し、前記ゴルフパターヘッドは、変更角度に応じて対応する前記本体側固定部材係合部と前記回動体側固定部材係合部に前記固定部材を挿入して前記ゴルフパターヘッド本体に前記回動体を固定するように構成されていることが好ましい。前記ゴルフパターヘッド本体は、フェイス面を備えた回動体を内部に回動可能に保持すると共に上下から被包する被包体にて構成されていることが好ましい。前記ゴルフパターヘッドは、平面視でホールカップの内径より若干小さい径の外周部を有すると共に、径の中心にシャフトが取り付けられるよう構成されていることが好ましい。
【０００９】
また、上記課題を解決するものは、前記ゴルフパターヘッドを備えたことを特徴とするゴルフパターである。
【発明の効果】
【００１０】
請求項１に記載したゴルフパターヘッドによれば、プレーヤー自らが当日のコンディションに応じて左右方向におけるフェイス面の角度を容易に微調整することができる。
請求項２に記載したゴルフパターヘッドによれば、上記請求項１の効果に加え、フェイス面の左右方向の延在角度を変更したフェイス面の角度を確実に保持できると共に公式試合にも使用可能なものとなる。
請求項３に記載したゴルフパターヘッドによれば、上記請求項１または２の効果に加え、フェイス面の左右方向の延在角度をより容易に変更することができる。
請求項４に記載したゴルフパターヘッドによれば、上記請求項１ないし３の効果に加え、複数から選択して変更したフェイス面の延在角度をより確実に保持できる。
請求項５に記載したゴルフパターヘッドによれば、請求項１に記載したゴルフパターヘッドをより容易かつ安定した構造で構成できる。
請求項６に記載したゴルフパターヘッドによれば、上記請求項１ないし５の効果に加え、その形態からホールカップをイメージすることができ、パッティング前にカップインのイメージを作り易いゴルフパターヘッドとなる。
請求項７に記載したゴルフパターによれば、上記請求項１ないし６の効果を奏するゴルフパターが構成できる。
【図面の簡単な説明】
【００１１】
【図１】本発明のゴルフパターヘッドおよびゴルフパターの一実施例の平面図である。
【図２】図１に示したゴルフパターヘッドおよびゴルフパターの右側面図である。
【図３】図１に示したゴルフパターヘッドおよびゴルフパターの正面図（フェイス面側から視た図）である。
【図４】図１に示したゴルフパターヘッドおよびゴルフパターの背面図である。
【図５】図１に示したゴルフパターヘッドおよびゴルフパターの作用を説明するための平面図である。
【図６】図１に示したゴルフパターヘッドおよびゴルフパターの作用を説明するための平面図である。
【図７】図１に示したゴルフパターヘッドおよびゴルフパターに使用される固定部材および回動用部材の斜視図である。
【図８】図１に示したゴルフパターヘッドおよびゴルフパターの全体構成を示した正面図である。
【発明を実施するための形態】
【００１２】
本発明は、回動体４を回動させ、ホールカップに対するフェイス面３の左右方向の延在角度を変更可能に構成されていることで、左右方向におけるフェイス面３の角度をプレーヤー自らが極めて容易に微調整することができるゴルフパターヘッド１およびそれを備えたゴルフパター３０を実現した。
【実施例１】
【００１３】
本発明のゴルフパターヘッドおよびそれを備えたゴルフパターを図１ないし図８に示した一実施例を用いて説明する。
この実施例のゴルフパターヘッド１は、図１に示すように、ゴルフパターヘッド本体２と、ゴルフパターヘッド本体２に対して相対的に回動可能に取り付けられフェイス面３を備えた回動体４とを有し、回動体４を回動させることにより、ホールカップに対するフェイス面３の左右方向の延在角度を変更可能に構成されている。以下、各構成について順次詳述する。
【００１４】
この実施例のゴルフパターヘッド本体２は、フェイス面３を備えた回動体４を内部に回動可能に保持すると共に上下からそれぞれ被包する被包体２ａ，２ｂにて構成されている。具体的には、ゴルフパターヘッド本体２は、図１ないし図３に示すように、一端側から回動体４のフェイス面３が露出可能となるように、一端側に開口部２ｃを有しており、他の外周部２ｄは、平面視略円形に形成されると共に、被包体２ａ，２ｂが外縁に沿って配される複数のビス２ｅによって固着されている。
【００１５】
また、ゴルフパターヘッド本体２は、図１ないし図４に示すように、平面視で一端側が直線状に切り欠かれた略円形であり、側面視では略卵形（楕円球状）に形成されている。
【００１６】
さらに、ゴルフパターヘッド１は、平面視でホールカップの内径より若干小さい径の外周部２ｄを有すると共に、図１または図８に示すように、径の中心にシャフト２０が取り付けられている。ゴルフパターヘッド１をこのような形態に構成することで、パッティングに際してホールカップをイメージし易くなり、カップインのイメージを作り易いゴルフパターヘッドとなる。
【００１７】
ただし、本発明のゴルフパターヘッドは、径の中心にシャフトを取り付けたものに限定されるものではなく、また、ゴルフパターヘッド本体の形態は上記実施例に限定されるものではなく、フェイス面を備えた回動体を相対的に回動可能に取り付けたゴルフパターヘッド本体を有するものは広く本発明の範疇に包含される。
【００１８】
回動体４は、ゴルフパターヘッド本体２に回動可能に取り付けられたものであり、この実施例では被包体２ａ，２ｂ内に配され側面視略卵形の金属体にて構成されている。回動体４の一端側側面には、パッティングに際してゴルフボールを打ち出すためのフェイス面３が設けられており、少なくともフェイス面３がゴルフパターヘッド本体２の開口部２ａから露出するようにゴルフパターヘッド本体２に対して配されている。
【００１９】
この実施例の回動体４は、図１に示すように、ゴルフパターヘッド本体２を構成する被包体２ａ，２ｂの内径より若干小さい外径を有する平面視略円形体に構成されており、被包体２ａ，２ｂの内面に沿って回動体４の外面が摺動することにより、ゴルフパターヘッド本体２に対して回動可能に構成されている。そして、この回動体４を回動させることにより、ホールカップに対するフェイス面３の左右方向の延在角度が変更可能に構成されている。
【００２０】
具体的には、図１の状態では、フェイス面３の左右方向ｈは図１中上下間を垂直方向に延在しており、図１中矢印ｋの延長線上に存在するホールカップに対しては９０°の角度をなすため、フェイス面３の左右方向の延在角度αはホールカップに対して９０°となる。
【００２１】
これに対して、図５の状態（回動体４をゴルフパターヘッド本体２に対して時計回りに回動させた状態）では、フェイス面３の左右方向ｈは図５中上下間を上斜め右方向から下斜め左方向に延在しており、図５中矢印ｋの延長線上に存在するホールカップに対しては９０°＋βの角度をなすため、フェイス面３の左右方向の延在角度αはホールカップに対して９０°＋βに変更されている。なお、βはフェイス面３の左右方向ｈとゴルフパターヘッド本体２の一端面（図５中左端面）がなす角度である。
【００２２】
図６の状態（回動体４をゴルフパターヘッド本体２に対して反時計回りに回動させた状態）では、フェイス面３の左右方向ｈは図６中上下間を上斜め左方向から下斜め右方向に延在しており、図６中矢印ｋの延長線上に存在するホールカップに対しては９０°−βの角度をなすため、フェイス面３の左右方向の延在角度αはホールカップに対して９０°−βに変更されている。なお、βはフェイス面３の左右方向ｈとゴルフパターヘッド本体２の一端面（図６中左端面）がなす角度である。
【００２３】
このように、本発明のゴルフパターヘッドでは、回動体４をゴルフパターヘッド本体２に対して回動させることにより、フェイス面３の左右方向の延在角度αが変更可能に構成されているため、当日のコンディションに応じてプレーヤー自らが左右方向におけるフェイス面の角度を容易に微調整することができる。
【００２４】
ただし、フェイス面を備えた回動体の形態は、上記実施例の形態に限定されるものではなく、ゴルフパターヘッド本体に対して回動させることにより、ホールカップに対するフェイス面の左右方向の延在角度を変更可能に構成されたものを広く包含するものである。
【００２５】
また、回動体４は、ホールカップに対するフェイス面３の左右方向の延在角度を保持した状態で固定部材５を介してゴルフパターヘッド本体２に固定可能に構成されている。これにより、フェイス面の左右方向の延在角度を変更したフェイス面の角度を確実に保持できると共に公式試合にも使用可能なものとなる。
【００２６】
具体的には、ゴルフパターヘッド本体２は、図１または図４に示すように、背面側に５つの本体側固定部材係合部（貫通孔）６ａ，６ｂ，６ｃ，６ｄ，６ｅを有し、回動体４も５つの回動体側固定部材係合部（挿入孔）７ａ，７ｂ，７ｃ，７ｄ，７ｅを有し、ゴルフパターヘッド１は、変更角度に応じて対応する本体側固定部材係合部６ａ，６ｂ，６ｃ，６ｄ，６ｅと回動体側固定部材係合部７ａ，７ｂ，７ｃ，７ｄ，７ｅに固定部材５を挿入してゴルフパターヘッド本体２に回動体４を固定するように構成されている。これにより、複数から選択して変更したフェイス面の延在角度をより確実に保持できる。
【００２７】
より具体的には、図１の状態では、本体側固定部材係合部６ｃと回動体側固定部材係合部７ｃに固定部材５が挿入されて、回動体４がゴルフパターヘッド本体２に固定されている。図５の状態では、本体側固定部材係合部６ｅと回動体側固定部材係合部７ｅに固定部材５が挿入されて、回動体４がゴルフパターヘッド本体２に固定されている。図６の状態では、本体側固定部材係合部６ａと回動体側固定部材係合部７ａに固定部材５が挿入されて、回動体４がゴルフパターヘッド本体２に固定されている。その他、この実施例では、本体側固定部材係合部６ｂと回動体側固定部材係合部７ｂに、または本体側固定部材係合部６ｄと回動体側固定部材係合部７ｄに固定部材５が挿入されて、回動体４をゴルフパターヘッド本体２に固定することができるように構成されている。
【００２８】
なお、この実施例では、本体側固定部材係合部６ａ，６ｂ，６ｃ，６ｄ，６ｅと同数の回動体側固定部材係合部７ａ，７ｂ，７ｃ，７ｄ，７ｅが設けられているが、これに限定されるものではなく、変更したフェイス面の左右方向の延在角度を確実に固定できるものであればよく、例えば、本体側固定部材係合部が一つで回動体側固定部材係合部が複数のもの、逆に回動体側固定部材係合部が一つで本体側固定部材係合部が複数のもの、さらに、本体側固定部材係合部と回動体側固定部材係合部の個数が異なるものも本発明の範疇に包含される。
【００２９】
また、この実施例の本体側固定部材係合部と回動体側固定部材係合部は、孔にて形成されているが、これに限定されるものではなく、ゴルフパターヘッド本体と回動体を固定部材との関係で係合させることができるものであればどのような形態のものでもよい。
【００３０】
さらに、この実施例の本体側固定部材係合部と回動体側固定部材係合部の内面には雌ネジが設けられているが、これに限定されるものではなく、ゴルフパターヘッド本体と回動体を固定部材にて固定できるものあればよく、例えば雌ネジが設けられていないものでもよい。さらに、この実施例のゴルフパターヘッド本体と回動体は非連続的に固定されるものであるが、連続的に固定できるものも本発明の範疇に包含される。
【００３１】
この実施例の固定部材５は、図７に示すように、六角穴付き止めネジにて構成されており、六角レンチにて構成された回動用部材８を用いて、本体側固定部材係合部６ａ，６ｂ，６ｃ，６ｄ，６ｅと回動体側固定部材係合部７ａ，７ｂ，７ｃ，７ｄ，７ｅのいずれかに固定部材５を螺合させて回動体４をゴルフパターヘッド本体２に固定するよう構成されている。このように、固定部材５として六角穴付き止めネジを使用し、六角レンチにて構成された回動用部材８で固定することで、細かい作業であるゴルフパターヘッド本体２への回動体４の固定作業をより容易かつより確実なものにすることができる。
【００３２】
さらに、回動体４は、ホールカップに対するフェイス面３の左右方向の延在角度を所望角度に変更するための回動用部材挿入部（挿入孔）９を有し、他方、ゴルフパターヘッド本体２は、回動体４の回動用部材挿入部（挿入孔）９へ回動用部材８を挿入するための長孔１０を有している。これにより、フェイス面３の左右方向の延在角度をより容易に変更することができる。
【００３３】
具体的には、回動用部材挿入部９は、図１または図２に示すように、回動体４の右側面側に設けられた断面六角形の挿入孔であり、長孔１０はゴルフパターヘッド本体２の外周部２ｄに水平方向に延在して設けられた貫通孔である。そして、パターヘッド本体２に対して回動体４を相対的に回動させる場合は、パターヘッド本体２の長孔１０を介して回動体４の回動用部材挿入部９に回動用部材８である六角レンチの先端を挿入し、その状態で長孔１０内を水平方向に移動させることにより、パターヘッド本体２に対して回動体４を相対的に回動させることができる。これにより、細かい作業である回動体４の回動作業をより容易かつより確実に行うことができるよう構成されている。
【００３４】
なお、本発明のゴルフパター３０は、上記詳述したパターヘッド本体２を、図８に示すように、上部にグリップ２２を備えたシャフト２０にコネクタ２１を介して固定したものである。
【００３５】
つぎに、本発明のゴルフパター３０の使用方法について説明する。
本発明のゴルフパター３０を使用するには、例えばプレー前のパター練習などでその日のコンディションを確認し、プレーヤー自身で回動体４を回動させて、ホールカップに対するフェイス面３の左右方向の延在角度を調整する。
【００３６】
具体的には、まず図１の状態（通常状態）で練習し問題なくカップインする場合は調整することなくそのままの状態でプレーする。
【００３７】
他方、ホールカップの左側（図１中左下側）に外す傾向がある時は、まず、図１中、  本体側固定部材係合部６ｃと回動体側固定部材係合部７ｃに螺合されて回動体４とゴルフパターヘッド本体２とを固定している固定部材５を回動用部材８を用いて取り外す。
【００３８】
つぎに、回動用部材８を長孔１０を介して回動用部材挿入部９内に挿入し、時計回りに回動体４を回動させて、本体側固定部材係合部６ｄと回動体側固定部材係合部７ｄか、本体側固定部材係合部６ｅと回動体側固定部材係合部７ｅのいずれかに固定部材５を挿入し回動用部材８にて螺合させて固定する。
【００３９】
本体側固定部材係合部６ｅと回動体側固定部材係合部７ｅに固定部材５を挿入螺合させた状態が図５の状態であり、フェイス面３は図中左下側に向かって傾いており、この状態でパッティングすると、ホールカップの左下側に外れる傾向にある場合、ゴルフボールは左上側に打ち出されるため、その日の癖が打ち消され補正されてカップインし易くなる。なお、ホールカップの左下側への外れの程度より少ない場合は、本体側固定部材係合部６ｄと回動体側固定部材係合部７ｄに固定部材５を挿入螺合させ固定して使用すると、丁度その日の癖が補正されカップインし易くなる。
【００４０】
逆に、ホールカップの右側（図１中左上側）に外す傾向がある時は、まず、上記と同様に、図１中、本体側固定部材係合部６ｃと回動体側固定部材係合部７ｃに螺合されて回動体４とゴルフパターヘッド本体２とを固定している固定部材５を回動用部材８を用いて取り外す。
【００４１】
つぎに、回動用部材８を長孔１０を介して回動用部材挿入部９内に挿入し、反時計回りに回動体４を回動させて、本体側固定部材係合部６ａと回動体側固定部材係合部７ａか、本体側固定部材係合部６ｂと回動体側固定部材係合部７ｂのいずれかに固定部材５を挿入し回動用部材８にて螺合させて固定する。
【００４２】
本体側固定部材係合部６ａと回動体側固定部材係合部７ａに固定部材５を挿入螺合させた状態が図６の状態であり、フェイス面３は図中左上側に向かって傾いており、この状態でパッティングするとホールカップの左上側に外れる傾向にある場合、ゴルフボールは左下側に打ち出されるため、その日の癖が打ち消され補正されてカップインし易くなる。なお、ホールカップの左上側への外れの程度より少ない場合は、本体側固定部材係合部６ｂと回動体側固定部材係合部７ｂに固定部材５を挿入螺合させ固定して使用すると、丁度その日の癖が補正されてカップインし易くなる。
【００４３】
このように、本発明のゴルフパター３０によれば、その日のコンディションに応じて、回動体４を回動させてホールカップに対するフェイス面３の左右方向の延在角度を変更することができるため、その日の癖が打ち消されてカップインし易いゴルフパターとなる。
【符号の説明】
【００４４】
１    ゴルフパターヘッド
２    ゴルフパターヘッド本体
２ａ  被包体
２ｂ  被包体
２ｃ  開口部
２ｄ  外周部
２ｅ  ビス
３    フェイス面
４    回動体
５    固定部材
６    本体側固定部材係合部
７    回動体側固定部材係合部
８    回動用部材
９    回動用部材挿入部
１０  長孔
２０  シャフト
３０  ゴルフパター
【図１】
2015024017.tif 000003
【図２】
2015024017.tif 000004
【図３】
2015024017.tif 000005
【図４】
2015024017.tif 000006
【図５】
2015024017.tif 000007
【図６】
2015024017.tif 000008
【図７】
2015024017.tif 000009
【図８】
2015024017.tif 000010